(57)【要約】【課題】映像信号には同一水平/垂直周波数を保有している信号ものの、解像度が異なる場合があるが、そのような映像信号であっても両者の表示領域調整を簡易に切換ることにより、最適な映像を表示できる映像表示装置を提供する。【解決手段】映像信号でＷＸＧＡとＸＧＡのような同一の水平/垂直同期周波数の組み合わせに対し、ユーザーが設定したスキャン変換率やサンプリングクロック周波数などの画角調整データを２つ以上記憶するメモリ装置を有する。また、ユーザーが前記メモリ手段に記憶された画角設定を任意に切り替えるためのリモコンなどの画角補正選択手段を有する。【選択図】図１
2006184411.tif 000002
【特許請求の範囲】
【請求項１】
入力される映像信号が保有する任意の水平及び垂直同期周波数の一つの組み合わせに対し、ｎ種の画角設定を記憶可能とし、前記ｎ種の画角設定の切換手段を保有する事を特徴とした映像表示装置。
【請求項２】
入力される映像の同期を分離し水平及び垂直の同期信号出力する同期分離回路と、入力映像信号をデジタルに変換するＡ／Ｄ変換回路と、前記Ａ／Ｄ変換回路の出力を所望の解像度に変換するスキャン変換回路と前記Ａ／Ｄ変換器及び前記スキャン変換回路のサンプリングクロックを生成するＰＬＬ回路と、前記スキャン変換回路で変換に必要な情報を水平と垂直同期周波数の組み合わせ１種についてｎ種蓄えておくメモリ装置と、水平同期信号、垂直同期信号から水平周波数、垂直周波数を検出する一方、前記メモリ装置ら解像度の変換に関するデータを読み出し、前記ＰＬＬ回路及び前記スキャン変換回路を設定する制御回路と、前記メモリ装置内の変換に必要な情報をｎ種から一つ選択する画角補正選択手段で構成される請求項１記載の映像表示装置。
【発明の詳細な説明】
【技術分野】
【０００１】
本発明は映像表示装置に関するものであり、特にパーソナルコンピュータより出力される映像信号を表示する映像表示装置に関する。
【背景技術】
【０００２】
従来、パーソナルコンピュータの信号を受像可能な映像表示装置としては、特開平１０−１９８３０２号に記載されたものが知られている。
【０００３】
図３に従来の映像表示装置の構成を示しており、図３において、３１は入力信号のアナログのＲＧＢの映像信号をデジタルのＲＧＢ信号に変換するためのＡ／Ｄ変換回路、３３は入力信号から水平同期信号、垂直同期信号を分離し出力する同期分離手段、３２は入力信号を所望の解像度に変換するスキャン変換回路である。このスキャン変換回路３２は、水平方向の変換については、例えば特開平９―２４７５８８の水平画素数変換回路により、垂直方向の変換については、例えば特開平９―２４７５７４の走査線変換装置等を用いて実現することができる。３４は前記Ａ／Ｄ変換器３及び前記スキャン変換回路３２のサンプリングクロックを生成するＰＬＬ回路、３６は変換に必要な情報を蓄えておくメモリ装置、３５は制御回路であり、水平同期信号、垂直同期信号から水平周波数、垂直周波数を検出する一方、前記メモリ装置３６から解像度の変換に関するデータを読み出し、前記ＰＬＬ回路３４、前記スキャン変換回路３２を設定する様に構成されている。
【０００４】
次に、以上のように構成された従来の映像表示装置について動作を説明する。入力された入力映像信号は、同期分離手段３３より水平同期信号、垂直同期信号が抽出され制御回路３５に入力される。これら同期信号を入力された制御回路３５は、まず、水平同期信号、垂直同期信号から入力信号の水平周波数、垂直周波数を検出する。水平周波数、垂直周波数から、市場に存在する信号源を仮定してスキャン変換率を決定し、スキャン変換回路３２およびＰＬＬ回路３４に出力し、表示媒体に受像する。前述の様に入力の信号を、市場に存在する信号に大分類して処理しており、入力されている映像信号の解像度、位置と完全一致していない。この為、ユーザーはサンプリングクロックの周波数調整や、スキャン変換回路の拡大率設定等の画角調整データを画角補正選択手段３７で調整して正常な表示位置を得る。ここでユーザーが調整したデータは、メモリ装置３６に入力同期周波数と関連付けして記憶され、次回同一信号が入力された場合に調整をする事なく、メモリ装置３６内の情報を用いて、正常に受像するというものである。
【０００５】
一方昨今、パーソナルコンピュータの映像信号の解像度が、ＷＶＧＡ（８６２ｘ４８０）や、ＷＸＧＡ（１３６６ｘ７６８）などのＷＩＤＥタイプの物が市場に増加している。このような信号は、同期周波数が、ワイドタイプではないＶＧＡや、ＸＧＡのものと同一周波数で構成されているものが多く、通常のＸＧＡ／ＶＧＡと区別できない場合が多い。
【特許文献１】特開平１０−１９８３０２号公報
【特許文献２】特開平９―２４７５８８号公報
【特許文献３】特開平９―２４７５７４号公報
【発明の開示】
【発明が解決しようとする課題】
【０００６】
この従来の映像表示装置においては、スキャン変換によるサイズ調整や、サンプリングクロックの周波数調整のデータは、図４に示すように、入力映像信号の同期周波数に関連づけされている。だが、一部のＸＧＡ信号とＷＸＧＡ信号の様に、同一の同期周波数で且つ、解像度が異なる場合の信号には、どちらか一方については調整を行うと、もう一方の信号を受像する際に再調整が必要となる。
【０００７】
本発明は、同期周期が同一で解像度が異なる数種の映像信号について、それぞれに最適な解像度変換、映像表示位置設定を得るために、入力信号が変化する度に映像位置などスキャン変換情報を再設定する事なく、簡易な切換操作で正常な映像表示位置／大きさを得られる事を目的とする。
【課題を解決するための手段】
【０００８】
この課題を解決するために本発明は、入力される映像信号が保有する任意の水平及び垂直同期周波数の一つの組み合わせに対し、ｎ種の画角設定を記憶可能とし、ｎ種の画角設定を簡易操作で一括切換する事を可能とするように構成したものである。
【発明の効果】
【０００９】
これにより、同期周期が同一で解像度が異なる数種の映像信号について、それぞれに最適な解像度変換、映像表示位置設定を、それぞれの信号について蓄積する事ができる為、入力信号が変化する度に映像位置などスキャン変換情報を再設定する事なく、簡易な切換操作で正常な画角が得られる。
【発明を実施するための最良の形態】
【００１０】
本発明の請求項１に記載の発明は、入力される映像信号が保有する任意の水平及び垂直同期周波数の一つの組み合わせに対し、ｎ種の画角設定を記憶可能とし、前記ｎ種の画角設定の切換手段を保有する事を特徴としたものであり、同期周期が同一で解像度が異なる数種の映像信号について、それぞれに最適な解像度変換、映像表示位置設定を、それぞれの信号について蓄積する様に構成し、これら蓄積した情報を簡易に切換るという作用を有する。
【００１１】
請求項２に記載の発明は、入力される映像の同期を分離し水平及び垂直の同期信号出力する同期分離回路と、入力映像信号をデジタルに変換するＡ／Ｄ変換回路と、前記Ａ／Ｄ変換回路の出力を所望の解像度に変換するスキャン変換回路と前記Ａ／Ｄ変換器及び前記スキャン変換回路のサンプリングクロックを生成するＰＬＬ回路と、前記スキャン変換回路で変換に必要な情報を水平と垂直同期周波数の組み合わせ１種についてｎ種蓄えておくメモリ装置と、水平同期信号、垂直同期信号から水平周波数、垂直周波数を検出する一方、前記メモリ装置ら解像度の変換に関するデータを読み出し、前記ＰＬＬ回路及び、前記スキャン変換回路を設定する制御回路と、前記メモリ装置内の変換に必要な情報をｎ種から一つ選択する画角補正選択手段で構成される請求項１記載の映像表示装置を設けたものであり、同期周期が同一で解像度が異なる数種の映像信号について、それぞれに最適な解像度変換、映像表示位置設定を、それぞれの信号について蓄積する様に構成し、これら蓄積した情報を簡易に切換るという作用を有する。
【００１２】
以下、本発明の実施の形態について、図１から図２を用いて説明する。
【００１３】
（実施の形態１）
図１に本発明の第一の実施の形態の構成を示す。図１において、１１は入力信号のアナログのＲＧＢの映像信号をデジタルのＲＧＢ信号に変換するためのＡ／Ｄ変換回路、１３は入力信号から水平同期信号と垂直同期信号を分離し出力する同期分離手段、１２は入力信号を所望の解像度に変換するスキャン変換回路である。１４は前記Ａ／Ｄ変換器３及び前記スキャン変換回路１２のサンプリングクロックを生成するＰＬＬ回路である。１６は映像信号の水平周波数、垂直周波数と画角調整データを蓄えておくメモリ装置である。１５は制御回路であり、水平同期信号と垂直同期信号から水平周波数と垂直周波数を検出する一方、前記メモリ装置１６から解像度の変換に関するデータを読み出し、前記ＰＬＬ回路１４、前記スキャン変換回路１２を設定する。１７はリモコン受信部であり、１８は入力された映像信号の水平周波数と垂直周波数をもとにメモリ装置１６内を探索して複数のデータが見つかった時に１つを選択する手段と、画角調整データを映像表示装置に入力する手段とを備えたリモコンである。ただし画角調整データとは、映像信号を映像表示装置に応じた映像のサイズと位置に設定するためのデータであり、それにはスキャン変換率の調整、サンプリングクロック周波数の調整や映像信号の表示区間や位相データに関する各種調整のデータが含まれる。
【００１４】
次に、以上のように構成された本発明の映像表示装置についてメモリ装置１６内の水平周波数と垂直周波数の組み合わせと映像表示装置に入力されている映像信号を比較して、入力映像信号が一つの映像フォーマットに特定される場合の動作を説明する。入力された入力映像信号は、同期分離手段１３より水平同期信号と垂直同期信号が抽出され制御回路１５に入力される。これら同期信号を入力された制御回路１５は、水平同期信号と垂直同期信号から入力信号の水平周波数と垂直周波数を検出する。水平周波数と垂直周波数をもとにメモリ装置１６を探索してスキャン変換率を決定し、スキャン変換回路１２およびＰＬＬ回路１４に出力し、表示媒体に受像する。前述の様に入力の信号を、メモリ装置１６に蓄えられた一般に使われている映像信号のフォーマットをもとに処理しており、入力されている映像信号の解像度、位置と完全一致していない。この為、ユーザーはリモコン１８を用いてサンプリングクロックの周波数調整や、スキャン変換回路の拡大率設定等の画角調整データをリモコン受信部１７に送信する。受信部１７は受信した画角調整データを制御回路１５に送信する。制御回路１５は受信した画角調整データをもとにＰＬＬ回路１４とスキャン回路１２に制御信号を送信する。ＰＬＬ回路１４は前記制御信号をもとにサンプリングクロック周波数を調整し、Ａ／Ｄ変換回路１１とスキャン調整回路１２へ調整されたサンプリングクロックを入力する。その結果、入力された映像信号は調整され正常な表示位置を得る。また、画角調整データが水平周波数と垂直周波数と共にメモリ装置１６に格納される。
【００１５】
次に、メモリ装置１６内の水平周波数と垂直周波数の組み合わせと映像表示装置に入力されている映像信号を比較して、入力映像信号が二つの映像信号のフォーマットに特定される場合について説明する。本実施の形態では説明を簡単にするため、同一同期周波数を持つＷＸＧＡ若しくはＸＧＡが入力された場合を例に説明する。また、表示媒体（ここでは液晶）の解像度は１０２４ｘ７６８とする。まずＸＧＡ信号の場合、入力される信号の解像度（有効領域）は１０２４ドットｘ７６８ライン、ブランキング期間を含めた１Ｈ内のトータルドット数は１３４４ドットとする。入力映像信号としてＸＧＡ信号が入力されると、同期分離手段１３にＸＧＡ信号が入力され、水平同期信号と垂直同期信号が抽出され、制御回路１５に出力される。制御回路１５は水平同期信号と垂直同期信号から入力信号の水平周波数ｆｈと垂直周波数ｆｖを検出し、メモリ装置１６へ出力する。メモリ装置１６は水平周波数ｆｈと垂直周波数ｆｖをもとにデータを探索する。映像表示装置はメモリ装置１６を探索した結果をもとに、ユーザーに映像信号がＸＧＡまたはＷＸＧＡであることを表示媒体を通じて知らせる。ユーザーはリモコン１８を利用して、ＸＧＡを選択する。すると水平サイズ（拡大率）は、（数１）に示すように設定される。
【００１６】
【数１】
2006184411.tif 000003
【００１７】
また、サンプリングクロックの周波数（ｆｄ）調整は、（数２）に示すように調整される。
【００１８】
【数２】
2006184411.tif 000004
【００１９】
この他にも、ユーザーはリモコン１８を利用して垂直拡大率、映像位置情報を調整する。その結果、入力された映像信号は正常な表示位置を得る。一方で、その画角調整データが水平周波数と垂直周波数と共にメモリ装置１６に蓄積される。ここで、メモリ装置１６内のデータ構成は、図２の様になっており、上記の水平周波数、垂直周波数と画角調整データは「画角設定情報  Ａ−１」に蓄積される。以上の調整を得て、ユーザーは最適な表示位置を得ることができる。次回に同一信号が入力された場合においては、表示媒体に表示された「画角設定情報  Ａ−１」をリモコン１８で選択することで調整する事無く最適な表示位置を得る。
【００２０】
次にＷＸＧＡの信号が入力された場合を説明する。ＷＸＧＡ信号の場合、解像度（有効領域）は１３６６ドットｘ７６８ライン、ブランキング期間を含めた１Ｈ内のトータルドット数は１７９２ドットとする。まず、入力映像信号としてＷＸＧＡ信号が入力されると、同期分離手段１３にＷＸＧＡ信号が入力され、水平同期信号と垂直同期信号が抽出され、制御回路１５に出力される。制御回路１５は水平同期信号と垂直同期信号から入力信号の水平周波数ｆｈと垂直周波数ｆｖを検出し、メモリ装置１６へ出力する。メモリ装置１６は水平周波数ｆｈと垂直周波数ｆｖをもとにデータを探索する。映像表示装置はメモリを探索した結果をもとに、ユーザーに映像信号がＸＧＡまたはＷＸＧＡであることを表示媒体を通じて知らせる。ユーザーはリモコン１８を利用して、ＷＸＧＡを選択する。すると水平サイズ（拡大率）は、（数３）に示すように設定される。
【００２１】
【数３】
2006184411.tif 000005
【００２２】
また、サンプリングクロックの周波数（ｆｄ）調整は、入力ｆｈは、前述のＸＧＡと同一である事から、（数４）に示すように調整される。
【００２３】
【数４】
2006184411.tif 000006
【００２４】
この他にも、ユーザーはリモコン１８を利用して垂直拡大率、映像位置情報を調整し、水平周波数、垂直周波数と画角調整データがメモリ装置１６に蓄積されるが、制御装置１５は、メモリ装置１６に蓄積する際に、同一の同期周波数のデータ「画角設定情報  Ａ−１」が既に保有されており、同一の同期周波数データが存在している事を検出して、上記のＷＸＧＡのデータは、「画角設定情報  Ａ−２」に蓄積される。
【００２５】
以上の調整を経て、最適な表示位置を得るが、次回同一の信号が入力された場合、ユーザーは、表示媒体を通じて、「画角設定情報  Ａ−１」と「画角設定情報  Ａ−２」がメモリ装置１６に記憶されていることを検知し、リモコン１８を操作することによって、画角調整データを簡単に切換る事ができる。その結果、ユーザーは入力された映像信号を最適な映像位置に表示することができる。また、この際、ユーザーに別領域に蓄積した事をオンスクリーン上などの文字情報でアナウンスする事で、次回受像時の操作性をより向上させる事が可能である。
【００２６】
なお、本実施の形態では画角補正値選択手段としてリモコン受信部１７とリモコン１８を用いたが、それに限るものではなく、例えば映像表示装置に備え付けられたボタンやスイッチで調整しても良い。
【００２７】
また、本実施の形態ではユーザーにメモリ装置１６に関するデータを知らせる手段に表示媒体を用いていたが、それに限るものではなく、例えば映像表示装置にスピーカを設けて音で報知しても良い。
【００２８】
また、本実施の形態ではメモリ装置１６にあらかじめ映像信号の水平周波数、垂直周波数を記憶しているが、映像信号の水平周波数、垂直周波数は別のメモリに記憶しておき、実際に調整をした映像信号の水平周波数、垂直周波数と画角調整データをメモリ装置１６に記憶させても良い。
【００２９】
また、表示媒体にメモリ装置１６の探索結果を表示するために、映像表示装置にＯＳＤ（Ｏｎ  Ｓｃｒｅｅｎ  Ｄｉｓｐｌａｙ）信号合成器を設置しても良い。
【００３０】
また、本実施の形態では一般に使われているフォーマットの映像信号の水平周波数、垂直周波数と画角調整データを蓄えておくメモリ装置１６には同一の水平周波数と垂直周波数の組み合わせは２種であったが、２種に限るものではなく、２種以上に同一の水平周波数と垂直周波数の組み合わせを持たせることも可能である。
【００３１】
また、本実施の形態では新たに映像信号が入力されたときに映像信号を選択しているが、選択のタイミングはその時だけでなく、任意に設定を可能にしても良い。また、ユーザーがリモコン１８などの入力手段を用いて所望の時間にメモリ装置１６を探索し、画角調整データを選んでも良い。
【産業上の利用可能性】
【００３２】
以上のように本発明によれば、同期周期が同一で解像度が異なる数種の映像信号について、それぞれに最適な解像度変換、映像表示位置設定を、それぞれの信号について蓄積する事ができる為、入力信号が変化する度に映像位置などスキャン変換情報を再設定する事なく、簡易な切換操作で正常な画角が得られるという有利な効果が得られる。
【図面の簡単な説明】
【００３３】
【図１】本発明の一実施の形態による映像表示装置を示す構成図
【図２】本発明の一実施の形態における記憶手段内の画角補正情報の配置図
【図３】従来の映像表示装置を示す構成図
【図４】従来の映像表示装置における記憶手段内の画角補正情報の配置図
【符号の説明】
【００３４】
１１  Ａ／Ｄ変換回路
１２  スキャン変換回路
１３  同期分離手段
１４  ＰＬＬ回路
１５  制御回路
１６  メモリ装置
１７  リモコン受信部
１８  リモコン
３１  Ａ／Ｄ変換回路
３２  スキャン変換回路
３３  同期分離手段
３４  ＰＬＬ回路
３５  制御回路
３６  メモリ装置
３７  画角補正選択手段
【図１】
2006184411.tif 000007
【図２】
2006184411.tif 000008
【図３】
2006184411.tif 000009
【図４】
2006184411.tif 000010